(57)【要約】【課題】分別可能な構造を損なうことなく、表紙体に綴じ具を安定、確実に取り付けることができるようにしたファイル及びこれを構成する表紙体を提供する。【解決手段】表紙体１に綴じ具Ｔを、固定手段Ｙを介して着脱可能に取り付けるにあたり、固定手段Ｙを、表紙体１と綴じ具Ｔの間を係合させて綴じ具Ｔが着脱方向と直交する方向に位置ずれを起こすことを規制する規制部Ｚと、表紙体１の裏面に配置されその側端縁２６ｃ３の一部にレール部２６ｃ４を形成した突出部２６ｃを表紙体１を貫通して綴じ具Ｔの配設位置側に引き出した第１の裏当て部材Ａ１と、この第１の裏当て部材Ａ１のレール部２６ｃ４に外嵌することにより規制部Ｚに規制された状態にある綴じ具Ｔの一部に選択的に係わり合って綴じ具Ｔの抜脱を禁止する固定スライダ９とから構成することとした。【選択図】図２
2005047110.tif 000002
【特許請求の範囲】
【請求項１】
表紙体に綴じ具を、固定手段を介して着脱可能に取り付けるようにしたものであって、
固定手段が、表紙体と綴じ具の間を係合させて綴じ具が着脱方向と直交する方向に位置ずれを起こすことを規制する規制部と、表紙体の裏面に配置されその側端縁の一部にレール部を形成した突出部を表紙体を貫通して綴じ具の配設位置側に引き出した裏当て部材と、この裏当て部材のレール部に外嵌することにより規制部に規制された状態にある綴じ具の一部に選択的に係わり合って綴じ具の抜脱を禁止する押さえ具とを具備することを特徴とするファイル。
【請求項２】
押さえ具は、突出部のレール部をすくい上げるようにして当該レール部に外嵌するものである請求項１記載のファイル。
【請求項３】
裏当て部材の突出部と押さえ具とは、規制部以外の部位において互いに係わり合うように構成されている請求項１又は２記載のファイル。
【請求項４】
規制部は、裏当て部材の突出部以外の部位に設けた凸部と、綴じ具の対応位置にあって前記凸部を密接に貫通させる凹部との凹凸係合構造からなる請求項３記載のファイル。
【請求項５】
裏当て部材に、突出部及び凸部を一体に設けている請求項４記載のファイル。
【請求項６】
綴じ具は、２箇所において抜脱方向への変位を禁止されるものであって、１箇所は前記押さえ具に押さえられる部位であり、他の箇所は裏当て部材の一部に設定した下向面と表紙体との間に形成される補助押さえ部に先行して差し込まれる部位である請求項１ないし５記載のファイル。
【請求項７】
裏当て部材として、突出部を有する第１の裏当て部材と、下向面を有する第２の裏当て部材とを使用する請求項６記載のファイル。
【請求項８】
綴じ具が、表紙体に設定した取付面に取り付けられるベース部材を具備し、このベース部材が、弾性体等の機構部品が組み込まれた厚肉部と、その厚肉部に隣接する薄肉部とを備えているものであって、この薄肉部を、押さえ具を係わり合わせる部位としている請求項１ないし７記載のファイル。
【発明の詳細な説明】
【０００１】
【発明の属する技術分野】
本発明は、オフィス等において好適に利用されるファイルに関するものである。
【０００２】
【従来の技術】
近時のこの種のファイルは、硬質紙や樹脂等により構成される表紙体と、金属素材よりなるパイプ式タイプ、リングタイプその他の綴じ具とから構成される。そして、分別廃棄等の便から、表紙体に綴じ具を、固定手段を介して着脱可能に取り付けるようにしたものが少なくない。
【０００３】
例えば、特許文献１に示されるものは、固定手段が、表紙体に設けた突出部を綴じ具に設けた挿通孔に挿通することによって綴じ具が着脱方向と直交する方向に位置ずれを起こすことを規制する規制部と、前記突出部に設けた横孔に挿通することによって規制部に規制された状態にある綴じ具の一部に係わり合って抜脱方向への変位を禁止する固定具とから構成されている。
【０００４】
【特許文献】
特開平１１−１８００８５号公報
【０００５】
【発明が解決しようとする課題】
ところが、このような構造による限り、固定具を挿通する関係上、組立分解作業の面からは突出部の横孔にある程度遊びを確保しておかなければならず、逆に遊びがあると固定具の固定力が弱くなって使用時における綴じ具の固定状態が甘くなるというジレンマを払拭することができない。特に、突出部は綴じ込みの妨げにならない突出量の範囲にあることが必要であるため、必然的に横孔の内径は小さくなりがちであり、固定具は小径な線状のものにならざるを得ない。このため、固定具による固定力の追求に一定の限界がある。
【０００６】
加えて、上記特許文献のように突出部を表紙体に一体成形するには、大型の金型にスライド型等を複雑に組み込まなければならないため、製造コストの増大等を招く要因となる。むしろこのような突出部は、表紙体の裏面に添接する別部材たる裏当て部材に一体に設け、突出部を表紙体を貫通させて綴じ具の配設位置側に引き出す構造を採用する方が好ましい。しかしながら、突出部を不用意に表紙体と別部材にすると、両者の一体感が損なわれ、固定力の低下に繋がるおそれがある。
【０００７】
本発明は、このような課題に着目してなされたものであって、分別可能な構造を損なうことなく、且つ裏当て部材を採用しつつ、表紙体に綴じ具を安定、確実に取り付けることができるようにしたファイルを提供することを目的としている。
【０００８】
【課題を解決するための手段】
本発明は、かかる目的を達成するために、次のような手段を講じたものである。
【０００９】
すなわち、本発明のファイルは、表紙体に綴じ具を、固定手段を介して着脱可能に取り付けるようにしたものである。そして、固定手段が、表紙体と綴じ具の間を係合させて綴じ具が着脱方向と直交する方向に位置ずれを起こすことを規制する規制部と、表紙体の裏面に配置されその側端縁の一部にレール部を形成した突出部を表紙体を貫通して綴じ具の配設位置側に引き出した裏当て部材と、この裏当て部材のレール部に外嵌することにより規制部に規制された状態にある綴じ具の一部に選択的に係わり合って綴じ具の抜脱を禁止する押さえ具とを具備することを特徴とする。
【００１０】
このようなものであれば、表紙体とは別体をなす裏当て部材に突出部を作り込むことができるので、大型の金型に複雑な加工を施すことを不要にして製造コストの削減を図ることができる。しかも、裏当て部材の突出部の側端縁にレール部を形成してこのレール部に押さえ具を外嵌させるようにしているため、押さえ具を小径な線状にすべき制約等はなく、必要な嵌合強度が得られるように所要領域に亘って押さえ具を突出部に緊密に嵌め合わせて、別体の裏当て部材を使用しても押さえ力を適正に確保することができる。その上、レール部に沿ってスライド操作させることができるので、別体の裏当て部材に対して着脱操作を円滑に行なうことができ、組立て、分別等の便を確保することができる。
【００１１】
裏当て部材を綴じ具の配設位置側に的確に引き出すためには、押さえ具が、突出部のレール部をすくい上げるようにして当該レール部に外嵌するものであることが望ましい。
【００１２】
押さえ具の形態等が規制部の存在によって制約を受けないようにするためには、裏当て部材の突出部と押さえ具とが、規制部以外の部位において互いに係わり合うように構成しておくことが望ましい。
【００１３】
規制部の具体的な実施の態様としては、裏当て部材の突出部以外の部位に設けた凸部と、綴じ具の対応位置にあって前記凸部を密接に貫通させる凹部との凹凸係合構造から構成しておくことが好ましく、突出部と凸部とは、裏当て部材に一体に設けておくことが望ましい。
【００１４】
綴じ具の適正な取付状態を損なうことなく、部品点数の増加を有効に回避するためには、当該綴じ具を、２箇所において抜脱方向への変位を禁止する構造とし、１箇所は前記押さえ具に押さえられる部位とした上で、他の箇所として、裏当て部材の一部に設定した下向面と表紙体との間に形成される補助押さえ部に先行して差し込まれる部位を設けておくことが望ましい。
【００１５】
裏当て部材としては、突出部を有する第１の裏当て部材と、下向面を有する第２の裏当て部材とを使用して、２箇所で綴じ具を固定するようにしておくことが便利である。
【００１６】
特に綴じ具が、表紙体に設定した取付面に取り付けられるベース部材を具備し、このベース部材が、弾性体等の機構部品が組み込まれた厚肉部と、その厚肉部に隣接する薄肉部とを備えている場合には、この薄肉部を、押さえ具を係わり合わせる部位として設定することで、デッドスペースの有効活用を図ることが可能となる。
【００１７】
【発明の実施の形態】
以下、本発明の一実施形態を、図面を参照して説明する。
【００１８】
この実施形態に係るファイルＦは、図１、図２及び図３に示すように、表紙体１に綴じ具Ｔを固定手段Ｙを介して着脱可能に取り付けるようにしたもので、固定手段Ｙが、綴じ具Ｔの着脱方向の位置ずれを規制する規制部Ｚと、綴じ具Ｔが表紙体１から抜脱することを禁止する押さえ具たる固定スライダ９及び補助押さえ部Ｖとを具備している。
【００１９】
表紙体１は、背表紙２の両側縁２１にヒンジ５を介して表表紙３と裏表紙４を連設したものであり、全体が樹脂により一体成型されるとともに背表紙２の内面２２の所定箇所に綴じ具Ｔを取り付けている。
【００２０】
綴じ具Ｔは、ベース部材６と、このベース部材６の一対の側縁６１、６１にそれぞれ対向状態で着脱可能に取り付けられる押さえ片７、８とを具備する金属製のものである。また、綴じ具Ｔは、一方の押さえ片７の対向面７１に対をなす綴じ杆７２を突設するとともに、他方の押さえ片８の対向面８１に綴じパイプ８２を突設して、綴じパイプ８２に紙葉類の綴じ孔を差し込んだ状態で綴じ杆７２を嵌入することによって、紙葉類を一対の押さえ片７、８の間に綴じ込むものである。
【００２１】
押さえ片７、８は、ベース部材６の中央部の内部に組み込んだ弾性体を含む機構部品６２ａ（図４参照）を介してベース部材６に着脱可能に弾性係合されており、押さえ片７、８の一部に表出する操作部７３、８３を押し込んだときに係合が解除される構造をなしている。このような事情から、ベース部材６は外観上、中央に機構部品６２ａを仕込んだ厚肉部６２と、その両側に位置する薄肉部６３、６３とを構成している。
【００２２】
この綴じ具Ｔは、薄肉部６３において表紙体１に取り付けられるもので、該薄肉部６３の所定箇所に、本発明の凹部たる角孔状の貫通孔６３ａを２箇所づつ設けている。
【００２３】
背表紙２は、底壁２３と、この底壁２３より起立する一対の側壁２４、２４及び上下壁２５、２５とからなる扁平な箱体状のもので、丈方向（一対の上下壁２５、２５の対面する方向）及び幅方向（一対の側壁２４、２４の対面する方向）の各中央付近に、底壁２３よりも嵩高い取付面２６を形成している。そして、この取付面２６の中央部に、ベース部材６の平面形状に略対応したベース取付領域２６ａを設定している。取付面２６には、当該ベース取付領域２６ａよりも若干広い平面領域が確保してある。そして、ベース取付領域２６ａに、規制部Ｚの一部を構成すべく第１、第２の裏当て部材Ａ１、Ａ２に設けた凸部２６ａ１を挿通させるための挿通孔２６ｘを開口させるとともに、ベース取付領域２６ａの丈方向一端側に、取付面２６との間に補助押さえ部Ｖを構成すべく第２の裏当て部材Ａ２に設けた下向面２６ｂ２を有する突起２６ｂを挿通するための挿通孔２６ｙを開口させ、さらにベース取付領域２６ａの丈方向他端側に、固定スライダ９を取り付けるべく第１の裏当て部材Ａ１に設けた突出部２６ｃを挿通するための挿通孔２６ｚを開口させている。
【００２４】
凸部２６ａ１は、第１の裏当て部材Ａ１及び第２の裏当て部材Ａ２の基板Ａａ上にそれぞれ突設されたもので、ベース部材６の薄肉部６３に形成されている貫通孔６３ａの対応部位より前記挿通孔２６ｘに挿入されて、貫通孔６３ａに比較的緊密に貫通し得る外形寸法を有している。
【００２５】
突起２６ｂは、第２の裏当て部材Ａ２の基板Ａａ上に突設されたもので、前記挿通孔２６ｙに挿入されて取付面２６から突出した位置に配置されその突出端よりベース取付領域２６ａに向けてオーバハングする上壁２６ｂ１（図４、図５参照）を有したもので、この上壁２６ｂ１の下向面２６ｂ２とベース取付領域２６ａに属する取付面２６との間に形成される補助押さえ部Ｖの隙間Ｓに薄肉部６３の先端６３ｂを差し込むことができるようにしている。この突起２６ｂには、貫通孔６３ａを凸部２６ａ１に係合させた際に、前記薄肉部６３の先端６３ｂを近接ないし当接させる起立面２６ｂ３が形成してある。
【００２６】
突出部２６ｃは、第１の裏当て部材Ａ１の基板Ａａ上に突設されたもので、前記挿通孔２６ｚに挿入されて取付面２６から真っ直ぐに起立する起立面２６ｃ１をベース取付領域２６ａ側に配している。この起立面２６ｃ１は、貫通孔６３ａを凸部２６ａ１に係合させた際に、前記薄肉部６３の先端６３ｂと背向する先端６３ｃを近接ないし当接させる位置関係となるように設定してある。この突出部２６ｃは、図２、図４及び図６に示すように、基端から先端部分２６ｃ２にかけてその断面がＴ字状をなしており、その先端部分２６ｃ２の両側端縁２６ｃ３すなわち前記Ｔ字の幅方向突出部分を、固定スライダ９を係合させるためのレール部２６ｃ４となしている。
【００２７】
固定スライダ９は、図２、図６及び図７に示すように、樹脂素材からなる厚板状のもので、その下面９５側（特に図７参照）に、前記突出部２６ｃの先端部分２６ｃ２を挿入可能な第１開口部９１と、この第１開口部９１の隣接位置にあって開口縁９３に設けた突条９３ａによりその開口幅が狭められた第２開口部９２とを有している。そして、先端部分２６ｃ２に第１開口部９１を嵌め込み、その位置から固定スライダ９をベース取付領域２６ａに向けてスライドさせることによって、先端部分２６ｃ２を第２開口部９２側に移行させるようにしている。この第２開口部９２は、前述した突条９３ａによって先端部分２６ｃ２の両側端縁２６ｃ３に形成されたレール部２６ｃ４からの抜脱が阻止されるので、結果的に固定スライダ９は突出部２６ｃに外嵌した状態を維持することとなる。
【００２８】
しかして、突出部２６ｃの先端部分２６ｃ２が固定スライダ９の第２開口部９２側に接するよう固定スライダ９を操作した段階で、この固定スライダ９のスライド先端９４側の下面９５に設定した押さえ片９４ａがベース部材６の薄肉部６３上に当接ないし近接して位置するように設定しており、このとき突出部２６ｃの一部に弾性係合するクリックストップ９６を当該固定スライダ９の第２開口部９２内若しくはその近傍に設けている。本実施形態において、固定スライダ９はそのスライド先端９４側が取付面２６の凸部２６ａ１の位置を越えてスライドするよう設定しているが、その際に凸部２６ａ１との干渉を避けるため、前記押さえ片９４ａには逃げ９４ａ１を設けている。
【００２９】
なお、表表紙３及び裏表紙４は、これらを背表紙２に対して直角をなす方向に折り曲げることによって綴じ具Ｔを構成する押さえ片７、８に係合するよう、前記押さえ片７、８の対応部位に弾性変形部３１、４１を設けている。
【００３０】
このように構成されたファイルＦの組み立て手順を図４〜図７を用いて説明する。
【００３１】
まず、側面図である図４及びその部分拡大図である図５に示すように、第１、第２の裏当て部材Ａ１、Ａ２を取付面２６の裏面に配置して、その凸部２６ａ１、突起２６ｂ及び突出部２６ｃをそれぞれ対応する取付面２６の挿通孔２６ｘ、２６ｙ、２６ｚに挿通させて、綴じ具Ｔの配設位置側に引き出す。そして、ベース部材６の薄肉部６３の一方の先端６３ｂを突起２６ｂの下向面２６ｂ２とベース取付領域２６ａに属する取付面２６との間に形成される補助押さえ部Ｖの隙間Ｓに差し込んで起立面２６ｂ３に当接させる（図５）。そして、その当接した箇所を支点としてベース部材６を回転させることにより、貫通孔６３ａ及び凸部２６ａ１を互いに係合させるとともに薄肉部６３の他方の先端６３ｃを突出部２６ｃの起立面２６ｃ１に近接ないし当接させる。これにより前記綴じ具Ｔの着脱方向と直交する上下左右方向への位置ずれが規制され、前記ベース部材６が前記ベース取付領域２６ａに載置されることとなる。
【００３２】
次に、ベース部材６を固定スライダ９にて固定する手順を図６及び図７（ａ）、（ｂ）、（ｃ）を用いて説明する。図６は図３のＡ−Ａ断面図であり、図７（ａ）は、固定スライダ９を突出部２６ｃに係合させた際の様子を示し、図７（ｂ）は固定スライダ９をスライド移動させる際の様子を示し、図７（ｃ）は、固定スライダ９にてベース部材６の固定を完了した際の様子を示す。
【００３３】
まず、固定スライダ９を用いて、当該固定スライダ９の第一開口部９１を突出部２６ｃの先端部分２６ｃ２に挿入する（図７（ａ））。その位置から、弾性変形可能なクリックストップ９６と突条９３ａとで両側端縁２６ｃ３にオーバーハングしたレール部２６ｃ４を左右から抱くように挟みこむとともに（図６）、固定スライダ９を凸部２６ａ１に向かってスライドさせる（図７（ｂ））。その間、クリックストップ９６は、前記突出部２６ｃに当接することによって、若干上方に弾性変形しながらスライドすることとなる。そして、前記押さえ片９４ａを凸部２６ａ１を超える位置までスライドさせると、前記押さえ片９４ａの下面９４ａ２にてベース部材６の薄肉部６３を押圧した状態となる（図７（ｃ））。そして、このときクリックストップ９６が弾性復元して突出部２６ｃの壁面に係合する。これにより、ベース部材６の抜脱方向への変位が禁止され、表紙体１とベース部材６との固定が完了する。
【００３４】
そして、このように取付られたベース部材６の一対の側縁６１、６１に、押さえ片７、８を上方より装着した後、表表紙３及び裏表紙４を背表紙２に対して直角に折り曲げて前記押さえ片７、８に弾性変形部３１、４１を係合させることによりファイルＦの組み立てが完了する。
【００３５】
以上のように、この実施形態のファイルは、表紙体１に綴じ具Ｔを、固定手段Ｙを介して着脱可能に取り付けるようにしたものである。そして、固定手段Ｙを、表紙体１と綴じ具Ｔの間を係合させて綴じ具Ｔが着脱方向と直交する方向に位置ずれを起こすことを規制する規制部Ｚと、表紙体１の裏面に配置されその側端縁２６ｃ３の一部にレール部２６ｃ４を形成した突出部２６ｃを表紙体１を貫通して綴じ具Ｔの配設位置側に引き出した第１の裏当て部材Ａ１と、この第１の裏当て部材Ａ１のレール部２６ｃ４に外嵌することにより規制部Ｚに規制された状態にある綴じ具Ｔの一部に選択的に係わり合って綴じ具Ｔの抜脱を禁止する固定スライダ９とから構成したものである。
【００３６】
このようにすれば、表紙体１とは別体をなす第１の裏当て部材Ａ１に突出部２６ｃを作り込むことができるので、大型の金型に複雑な加工を施すこと等を不要にして製造コストの削減を図ることができる。しかも、前記突出部２６ｃの側端縁２６ｃ３にレール部２６ｃ４を形成してこのレール部２６ｃ４に固定スライダ９を外嵌させるようにしているため、固定スライダ９を小径な線状にすべき制約等は何もなく、必要な嵌合強度が得られるように所要領域に亘って固定スライダ９を突出部２６ｃに緊密に嵌め合わせて、このような別体の裏当て部材Ａ１を使用しても押さえ力を適正に確保することができる。その上、固定スライダ９をレール部２６ｃ４に沿ってスライド操作させることができるので、別体の裏当て部材Ａ１に対する着脱操作を円滑に行なうことができ、組立て、分別等の便を有効に確保することができる。
【００３７】
特に、固定スライダ９は、その突条９３ａ上に突出部２６ｃのレール部２６ｃ４をすくい上げるようにして当該レール部２６ｃ４に外嵌することができるため、第１の裏当て部材Ａ１を綴じ具Ｔの配設位置側に的確に引き出し、その状態を保持することが可能となる。
【００３８】
とりわけ、この実施形態における第１の裏当て部材Ａ１の突出部２６ｃと固定スライダ９との係合構造は、規制部Ｚの構造に依存しておらず、規制部Ｚ以外の部位において互いに係わり合う構成をなしているため、基本的に規制部Ｚの存在によって制約を受けることがなく、適切な固定状態となる構造を有効に追求することができる。
【００３９】
規制部Ｚを具現するにあたり、本実施形態は、第１の裏当て部材Ａ１の突出部２６ｃ以外の部位及び第２の裏当て部材Ａ２の突起２６ｂ以外の部位に設けた凸部２６ａ１と、綴じ具Ｔの対応位置にあって前記凸部２６ａ１を密接に貫通させる貫通孔６３ａとの凹凸係合構造Ｘから当該規制部Ｚを構成しているので、構造的に簡素な手法によって規制部Ｚを実現することができる。その際、突出部２６ｃと凸部２６ａ１、突起２６ｂと凸部２６ａ１は、それぞれ裏当て部材Ａ１、Ａ２に一体に設けてあるため、製造の便及び取り扱いの便も向上したものになる。なお、本実施形態において、上述した凹凸係合構造Ｘとは別に、ベース部材６の一方の先端６３ｂと起立面２６ｂ３とが、またベース部材６の他方の先端６３ｃと起立面２６ｃ１とが、それぞれ当接することにより規制部Ｚの機能を補助しているものということができる。
【００４０】
また、当該綴じ具Ｔを、２箇所において抜脱方向への変位を禁止する構造とし、１箇所は前記固定スライダ９に押さえられる部位（ベース部材６の他方の先端６３ｃ側の薄肉部６３）とした上で、他の箇所（ベース部材６の一方の先端６３ｂ側の薄肉部６３）において表紙体１の取付面２６と突起２６ｂの下向面２６ｂ２との間に形成される補助押さえ部Ｖの隙間Ｓに当該一方の先端６３ｂを差し込んで固定するようにしているため、綴じ具Ｔの適正な取付状態を損なうことなく、固定スライダ９の数を必要最小限度として部品点数の増加を有効に回避することができ、さらにはコストの削減も図ることができる。
【００４１】
特に本実施形態は、裏当て部材に、突出部２６ｃを有する第１の裏当て部材Ａ１と、下向面２６ｂ２を有する第２の裏当て部材Ａ２とを使用して、綴じ具Ｔを両端２箇所で固定するようにしているため、簡単な構造で取付状態に確実性を期することが可能となる。
【００４２】
さらにまた、この実施形態の綴じ具Ｔは、表紙体１に設定した取付面２６に取り付けられるベース部材６が、弾性体等の機構部品６２ａが組み込まれた厚肉部６２と、その厚肉部６２に隣接する薄肉部６３とを備えているものであり、本来なら薄肉部６３の上方空間がデッドスペースとなるのであるが、この実施形態は、この薄肉部６３を、固定スライダ９や補助押さえ部Ｖと係わり合わせる部位として構成しており、デッドスペースが有効活用されるため、本発明の構造を採用したことによってファイルＦの一部が嵩高くなる等といった不都合を有効に回避することが可能となる。
【００４３】
なお、各部の具体的な構成は、上述した実施形態のみに限定されるものではなく、本発明の趣旨を逸脱しない範囲で種々変形が可能である。
【００４４】
例えば、上記実施形態において、裏当て部材の突出部と押さえ具とは、規制部以外の部位において互いに係わり合うように構成されていたが、裏当て部材の突出部が綴じ具のベースと係わって規制部の役割を兼ねるようにした構造も本発明の実施の態様に含まれる。
【００４５】
【発明の効果】
以上に説明したように、本発明によれば、分別可能な構造を損なうことなく、且つ裏当て部材を採用しつつ、表紙体に綴じ具を安定、確実に取り付けることができるようにしたファイルを提供することが可能になる。
【図面の簡単な説明】
【図１】本実施形態におけるファイルの全体斜視図。
【図２】同ファイルの分解斜視図。
【図３】同ファイルの平面図。
【図４】同ファイルの組立詳細図。
【図５】同ファイルの拡大図。
【図６】図３におけるＡ−Ａ断面図。
【図７】本実施形態における動作説明図。
【符号の説明】
１・・・表紙体
６・・・ベース部材
９・・・押さえ具（固定スライダ）
２６・・・取付面
２６ａ１・・・凸部
２６ｂ２・・・下向面
２６ｃ・・・突出部
２６ｃ３・・・側端縁
２６ｃ４・・・レール部
６２・・・厚肉部
６２ａ・・・機構部品
６３・・・薄肉部
６３ａ・・・凹部（貫通孔）
Ａ１・・・第１の裏当て部材
Ａ２・・・第２の裏当て部材
Ｆ・・・ファイル
Ｔ・・・綴じ具
Ｖ・・・補助押さえ部
Ｘ・・・凹凸係合構造
Ｙ・・・固定手段
Ｚ・・・規制部
【図１】
2005047110.tif 000003
【図２】
2005047110.tif 000004
【図３】
2005047110.tif 000005
【図４】
2005047110.tif 000006
【図５】
2005047110.tif 000007
【図６】
2005047110.tif 000008
【図７】
2005047110.tif 000009